(57)【要約】【課題】液晶ディスプレイパネルの特性を考慮した、映像信号を処理する方法によってディスプレイの映像品質を改善する全く新しい輝度の補正方法を提供する。【解決手段】パネルの元々のガンマ曲線を計測し、目標ガンマ曲線を設定し、初期グレイレベルを入力し、目標曲線に対応する輝度を取得し、元々のガンマ曲線上に前記輝度を表示する調整グレイレベルを探し出し、上述の工程を繰り返し、複数組の比例配列を含むルックアップテーブルを生成し、映像の入力グレイレベルの数量分布を計算し、暗階調比例と明階調比例の大きさに基づいて、暗階調ルックアップテーブルの中から対応する比例配列を選択し、前記比例配列内の調整グレイレベルが入力グレイレベルに取って代わり、調整後のグレイレベルを出力し、信号の強度を調整することによって映像品質を改善し、入力信号源の強度を調整することにより比較的優れた映像品質を得る。【選択図】図６
2005266452.tif 000002
【特許請求の範囲】
【請求項１】
液晶ディスプレイの輝度の補正方法であり、その方法として、
（１）パネルの元々のガンマ曲線を計測し、
（２）目標ガンマ曲線を設定し、
（３）初期グレイレベルを入力し、目標曲線に対応する輝度を取得し、元々のガンマ曲線上において、前記輝度を表示する調整グレイレベルを探し出し、
（４）上述の（２）から（３）の工程を繰り返し、複数組の初期グレイレベルと複数組の調整グレイレベルを生成し、前記複数組の調整グレイレベルを比例配列に帰納し、
（５）上述の（２）から（４）の工程を繰り返し、異なる目標曲線の下に複数組の比例配列を生成し、それによってルックアップテーブルを作成し、
（６）映像の入力グレイレベルの数量分布を計算し、
（７）別々に、暗階調比例と明階調比例を計算し、
（８）暗階調比例の大きさに基づいて、暗階調ルックアップテーブルの中から対応する比例配列を選択し、前記比例配列内の調整グレイレベルが入力グレイレベルに取って代わり、
（９）明階調比例の大きさに基づいて、明階調ルックアップテーブルの中から対応する比例配列を選択し、前記比例配列内の調整グレイレベルが入力グレイレベルに取って代わり、
（１０）調整後のグレイレベルを出力し、信号の強度を調整することによって映像品質を改善し、入力信号源の強度を調整することにより比較的優れた映像品質を得る
方法を含むことを特徴とする液晶ディスプレイの輝度の補正方法。
【請求項２】
暗階調比例とは暗階調区内のグレイスケール数量が総グレイスケール数量に占める割合を指し、暗階調区の範囲は総グレイスケール範囲のある割合以下の範囲であり、明階調比例とは明階調区内のグレイスケール数量が総グレイスケールに占める割合を指し、明階調区の範囲は総グレイスケール範囲のある割合以上の範囲であることを特徴とする請求項１に記載の液晶ディスプレイの輝度の補正方法。
【請求項３】
暗階調区の範囲は総グレイスケール範囲の前四分の一のグレイスケール範囲であり、明階調区の範囲は総グレイスケール範囲の後四分の一のグレイスケール範囲であることを特徴とする請求項２に記載の液晶ディスプレイの輝度の補正方法。
【請求項４】
暗階調ルックアップテーブルは複数の入力グレイレベルと複数組の比例配列によって構成される配列であり、それぞれの入力グレイレベルは比例配列中において調整グレイレベルに対応させることができ、明暗階調ルックアップテーブルは複数の入力グレイレベルと複数組の比例配列によって構成される配列であり、それぞれの入力グレイレベルは比例配列中において調整グレイレベルに対応させることができることを特徴とする請求項１に記載の液晶ディスプレイの輝度の補正方法。
【請求項５】
暗階調比例と比例配列の対応方法は、暗階調比例を暗階調転換関数に代入し、暗階調LUT強度を取得し、即ち暗階調LUT強度＝F1（暗階調比例）であり、この暗階調LUT強度を暗階調ルックアップテーブル内の比例配列に対応させ、この比例配列内の調整グレイレベルが入力グレイレベルに取って代わる方法であり、明階調比例と比例配列の対応方法は、明階調比例を明階調転換関数に代入し、明階調LUT強度を取得し、即ち明階調LUT強度＝F２（明階調比例）であり、この明階調LUT強度を明階調ルックアップテーブル内の比例配列に対応させ、この比例配列内の調整グレイレベルが入力グレイレベルに取って代わる方法であることを特徴とする請求項１に記載の液晶ディスプレイの輝度の補正方法。
【請求項６】
暗階調、明階調転換関数は、逓増関数であり、即ち暗階調、明階調の割合が高くなればなるほど暗階調、明階調のLUT強度が大きくなることを特徴とする請求項５に記載の液晶ディスプレイの輝度の補正方法。
【請求項７】
調整グレイレベル間のグレイレベルは内挿演算によって取得されることを特徴とする請求項１に記載の液晶ディスプレイの輝度の補正方法。
【請求項８】
液晶ディスプレイの輝度の補正方法であり、その方法として、
（１）映像の入力グレイレベルの数量分布を計算し、
（２）別々に、暗階調比例と明階調比例を計算し、
（３）暗階調比例の大きさに基づいて、暗階調ルックアップテーブルの中から対応する比例配列を選択し、前記比例配列内の調整グレイレベルが入力グレイレベルに取って代わり、
（４）明階調比例の大きさに基づいて、明階調ルックアップテーブルの中から対応する比例配列を選択し、前記比例配列内の調整グレイレベルが入力グレイレベルに取って代わり、
（５）調整後のグレイレベルを出力し、信号の強度を調整することによって映像品質を改善し、入力信号源の強度を調整することにより比較的優れた映像品質を得る
方法を含むことを特徴とする液晶ディスプレイの輝度の補正方法。
【請求項９】
暗階調比例とは暗階調区内のグレイスケール数量が総グレイスケール数量に占める割合を指し、暗階調区の範囲は総グレイスケール範囲のある割合以下の範囲であり、明階調比例とは明階調区内のグレイスケール数量が総グレイスケールに占める割合を指し、明階調区の範囲は総グレイスケール範囲のある割合以上の範囲であることを特徴とする請求項８に記載の液晶ディスプレイの輝度の補正方法。
【請求項１０】
暗階調区の範囲は総グレイスケール範囲の前四分の一のグレイスケール範囲であり、明階調区の範囲は総グレイスケール範囲の後四分の一のグレイスケール範囲であることを特徴とする請求項９に記載の液晶ディスプレイの輝度の補正方法。
【請求項１１】
暗階調ルックアップテーブルは複数の入力グレイレベルと複数組の比例配列によって構成される配列であり、それぞれの入力グレイレベルは比例配列中において調整グレイレベルに対応させることができ、明暗階調ルックアップテーブルは複数の入力グレイレベルと複数組の比例配列によって構成される配列であり、それぞれの入力グレイレベルは比例配列中において調整グレイレベルに対応させることができることを特徴とする請求項８に記載の液晶ディスプレイの輝度の補正方法。
【請求項１２】
暗階調比例と比例配列の対応方法は、暗階調比例を暗階調転換関数に代入し、暗階調LUT強度を取得し、即ち暗階調LUT強度＝F1（暗階調比例）であり、この暗階調LUT強度を暗階調ルックアップテーブル内の比例配列に対応させ、この比例配列内の調整グレイレベルが入力グレイレベルに取って代わる方法であり、明階調比例と比例配列の対応方法は、明階調比例を明階調転換関数に代入し、明階調LUT強度を取得し、即ち明階調LUT強度＝F２（明階調比例）であり、この明階調LUT強度を明階調ルックアップテーブル内の比例配列に対応させ、この比例配列内の調整グレイレベルが入力グレイレベルに取って代わる方法であることを特徴とする請求項８に記載の液晶ディスプレイの輝度の補正方法。
【請求項１３】
暗階調、明階調転換関数は、逓増関数であり、即ち暗階調、明階調の割合が高くなればなるほど暗階調、明階調のLUT強度が大きくなることを特徴とする請求項１２に記載の液晶ディスプレイの輝度の補正方法。
【請求項１４】
調整グレイレベル間のグレイレベルは内挿演算によって取得されることを特徴とする請求項８に記載の液晶ディスプレイの輝度の補正方法。
【請求項１５】
液晶ディスプレイの輝度の補正方法であり、その方法として、
（１）パネルの元々のガンマ曲線を計測し、
（２）目標ガンマ曲線を設定し、
（３）初期グレイレベルを入力し、目標曲線に対応する輝度を取得し、元々のガンマ曲線上において、前記輝度を表示する調整グレイレベルを探し出し、
（４）上述の（２）から（３）の工程を繰り返し、複数組の初期グレイレベルと複数組の調整グレイレベルを生成し、前記複数組の調整グレイレベルを比例配列に帰納し、
（５）上述の（２）から（４）の工程を繰り返し、異なる目標曲線の下に複数組の比例配列を生成し、それによってルックアップテーブルを作成する
方法を含み、
入力信号源の強度を調整することによって、比較的優れた映像品質を得ることを特徴とする液晶ディスプレイの輝度の補正方法。
【請求項１６】
液晶ディスプレイの輝度の補正装置であり、
色彩階調ヒストグラム分析ユニットと、ルックアップテーブル保存ユニットと、色彩階調演算ユニットとによって構成されており、
前記色彩階調ヒストグラム分析ユニットは、映像信号を受信するために用いられており、さらにそれぞれの入力グレイレベルの分布数を数え、色彩階調の分布状態を取得し、
前記ルックアップテーブル保存ユニットは、ルックアップテーブルを保存するために用いられており、
前記色彩階調演算ユニットは、色彩階調比率を計算するために用いられており、さらに転換関数を代入してLUT強度に転換し、ルックアップテーブル内の比例配列に対応させ、この比例配列内の調整グレイレベルが入力グレイレベルに取って代わり、さらにこれを出力し、
入力信号源の強度を調整することによって比較的優れた映像品質を得ることを特徴とする液晶ディスプレイの輝度の補正方法。
【請求項１７】
転換関数は、逓増関数であり、即ち暗階調、明階調の割合が高くなればなるほどLUT強度が大きくなることを特徴とする請求項１６に記載の液晶ディスプレイの輝度の補正装置。
【請求項１８】
調整グレイレベル間のグレイレベルは内挿演算によって得られることを特徴とする請求項１６に記載の液晶ディスプレイの輝度の補正装置。
【発明の詳細な説明】
【技術分野】
【０００１】
本発明は液晶ディスプレイの輝度の補正方法および装置に係り、特に入力信号の強度を調整することにより、比較的優れた映像品質を得る輝度の補正方法および装置であり、各種液晶ディスプレイ、または類似するディスプレイの映像調整に好適な輝度の補正方法および装置に関わる。
【背景技術】
【０００２】
液晶ディスプレイが普及している理由は、主に、消費電力が低く、薄型で重量が軽く、映像品質が良いなどの長所を具有するからであり、デジタルテレビ、ノートパソコン、コンピュータディスプレイ等に応用することができ、徐々に陰極線管（CRT）に取って代わりディスプレイの主流となっているが、液晶分子の特性により、粘性係数、誘電率、弾性係数等が影響を受け、反応時間が掛かりすぎたり、残像現象が発生したりする問題があり、特にCRTとは相対して、液晶ディスプレイの画面には輝度不足の問題があり、入力画面が例えば夜景のような比較的暗い画面の場合、ディスプレイに輝度またはコントラストが明らかに不足し、見る人は映像の細部を認識することができず、入力画面が例えば逆光で撮影された映像のようなコントラストが大きすぎる映像の場合、比較的明るい映像および比較的暗い映像のグレイレベルが比較的多くなり、画面中の比較的暗い部分が暗くなりすぎ、比較的明るい部分が明るくなりすぎてしまい、二つの部分の画面は細かいグラデーションを表現することができず、通常ディスプレイ上には輝度コントラスト調整ボタンがあり、見る人は手動で映像の輝度とコントラストを調整し、映像をクリアに、色彩を豊かにするが、この種の手動での調整は、動態の映像を見る場合においては、画面の切り換えが早く、且つ多種多様であり、単一の輝度とコントラストでは適応させにくいために非常に面倒であり、そのためにディスプレイ内部のユニットによる調整によって、映像のコントラスト程度を強化し、画面のグラデーションを更にクリアにする必要がある。
【０００３】
図１は公知技術による映像を強化するために、ガンマ調整を用いた方法を示すものであり、その方法は、輝度制御装置を液晶ディスプレイの電圧駆動器上に設置し、システムが映像の輝度、またはコントラストが足りないと判断した時、元々のガンマ曲線を調整ガンマ曲線に調整し、またガンマ電圧値を引き上げ、相対的にディスプレイの輝度を上げ、映像のコントラストと輝度を改善するものであるが、この方法には以下の欠点がある。
【０００４】
１  ディスプレイ内部にもう一つ制御装置を設けて電圧変化を制御する必要があるのでディスプレイ内部において消費電力を増加させ資源を消耗させてしまう。
２  一つ一つのディスプレイの特性は全て異なり、制御装置の単一的な特性では異なるパネルの特性に対して調整することはできず、映像の制御能力に対して明らかに融通性が不足する。
【発明の開示】
【発明が解決しようとする課題】
【０００５】
本発明の主な目的は、液晶ディスプレイパネルの特性を考慮した、映像信号を処理する方法によってディスプレイの映像品質を改善する全く新しい輝度の補正方法を提供することである。
【０００６】
本発明のもう一つの目的は、ルックアップテーブルの簡単な対応を利用し、迅速に適当な輝度を表示する調整グレイレベルを取得する全く新しい輝度の補正方法を提供することである。
【０００７】
本発明のさらにもう一つの目的は、上述の輝度の補正方法を実行することによって、迅速に調整グレイレベルを出力し、ディスプレイの画面品質を改善し、各式のディスプレイパネルに応用することができる全く新しい輝度の補正方法を提供することである。
【課題を解決するための手段】
【０００８】
前記課題を解決するために、本発明の方法は、
（１）パネルの元々のガンマ曲線を計測し、
（２）目標ガンマ曲線を設定し、
（３）初期グレイレベルを入力し、目標曲線に対応する輝度を取得し、元々のガンマ曲線上に前記輝度を表示する調整グレイレベルを探し出し、
（４）上述の（２）から（３）の工程を繰り返し、複数組の初期グレイレベルと複数組の調整グレイレベルを生成し、前記複数組の調整グレイレベルを比例配列に帰納し、
（５）上述の（２）から（３）の工程を繰り返し、異なる目標曲線の下に複数組の比例配列を生成し、それによってルックアップテーブルを作成し、
（６）映像の入力グレイレベルの数量分布を計算し、
（７）別々に、暗階調比例と明階調比例を計算し、
（８）暗階調比例の大きさに基づいて、暗階調ルックアップテーブルの中から対応する比例配列を選択し、前記比例配列内の調整グレイレベルが入力グレイレベルに取って代わり、
（９）明階調比例の大きさに基づいて、明階調ルックアップテーブルの中から対応する比例配列を選択し、前記比例配列内の調整グレイレベルが入力グレイレベルに取って代わり、
（１０）調整後のグレイレベルを出力し、信号の強度を調整することによって映像品質を改善し、入力信号源の強度を調整することにより比較的優れた映像品質を得る
方法を含み、
上述の方法を実行するために用いられる装置は、
色彩階調ヒストグラム分析ユニットと、ルックアップテーブル保存ユニットと、色彩階調演算ユニットとによって構成されており、
前記色彩階調ヒストグラム分析ユニットは、映像信号を受信するために用いられており、さらにそれぞれの入力グレイレベルの分布数を数え、色彩階調の分布状態を取得し、
前記ルックアップテーブル保存ユニットは、ルックアップテーブルを保存するために用いられており、
前記色彩階調演算ユニットは、色彩階調比率を計算するために用いられており、さらに転換関数を代入してLUT強度に転換し、ルックアップテーブル内の比例配列に対応させ、この比例配列内の調整グレイレベルが入力グレイレベルに取って代わり、さらにこれを出力するものであり、
入力信号源の強度を調整することによって比較的優れた映像品質を得るものである。
【発明の効果】
【０００９】
１  公知構造の液晶ディスプレイにおける輝度不足とコントラスト不足を改善し、映像が強化された後、明らかにコントラストがはっきりし、色彩が豊かになった。
２  本発明の方法は、単一のパネル特性への応用だけに制限されず、異なるパネルにおいても計測によってガンマ曲線の特性を取得し、ルックアップテーブルを作成することができ、このルックアップテーブルに基づいて調整される映像は、色彩のコントラストをさらに表現することができる。
３  ルックアップテーブルの特性を利用し、グレイレベルを対応させるにしても、内挿させるにしても、演算は簡単で高速であり、映像データを補正する時間を大幅に短縮することができ、映像は迅速に補正され目標の輝度を表示することができる。
４  ルックアップテーブル内の比例配列数は必要に応じてその数量を設定することができ、組数が多ければ多いほど調整に選択できる調整グレイレベルが多くなり、選択が多様化し、応用に融通性を持たせることができる。
５  ルックアップテーブルの階数はディスプレイの解析度の要求に基づいて設定することができ、各種の異なるガンマレベル階数のディスプレイに適用させることができ、応用範囲は広い。
【発明を実施するための最良の形態】
【００１０】
図２に示すように、１０ビットの液晶ディスプレイにおいては、それぞれの画像画面は１０２４のグレイレベルを具有しており、映像画面に存在するそれぞれのグレイレベルの数量を演算統計し、色彩階調ヒストグラムを取得し、総グレイスケール範囲のある割合以下の範囲を暗階調区２１と設定し、総グレイスケール範囲のある割合以上の範囲を明階調区２２と設定し、本発明の比較的好適な実施例においては、暗階調区の範囲は総グレイスケール範囲の前四分の一の範囲と設定し、即ちグレイレベルは０から２５６であり、明階調区の範囲は総グレイスケール範囲の後四分の一の範囲と設定し、即ち７６８から１０２４であり、さらに暗階調比例は暗階調区２３内のグレイスケール数量２３が総グレイスケールに占める割合と定義され、明階調比例とは明階調区２２内のグレイスケール数量が総グレイスケール数量に占める割合を指す。
【００１１】
図３に示すように、比較的好適な実施例によって、液晶ディスプレイパネルの輝度を上げるための依拠となるルックアップテーブルを作成する方法を以下に示す。
（１） 先ず液晶ディスプレイのパネルを計測し、元々のガンマ曲線１０を取得する。
（２） 目標ガンマ曲線１１を設定する。
（３） 初期グレイレベルX１（符合１２）を入力し、目標ガンマ曲線１１に対応する輝度を取得し、元々のガンマ曲線１０上において、前記輝度を表示する調整グレイレベルX２（符合１４）を探し出す。
（４） 上述の（２）から（３）の工程を繰り返し、複数組の初期グレイレベルX１と複数組の調整グレイレベルX２を生成し、前記複数組の調整グレイレベルを比例配列に帰納し、
（５） 上述の（２）から（４）の工程を繰り返し、異なる目標曲線の下において、複数組の比例配列を生成し、ルックアップテーブルを作成する。
【００１２】
図４に示すように、１０ビットの表示解析度においては、暗階調区と明階調区に基づいて、別々に暗階調ルックアップテーブル４１と明階調ルックアップテーブル４２を作成し、暗階調ルックアップテーブル４１は、８組の初期グレイレベル４３および６組の比例配列を含む比例配列組４４を選択し、明階調ルックアップテーブル４２は８組の初期グレイレベル４３’および７組の比例配列を含む比例配列組４４’を選択し、各比例配列組４４、４４’は初期グレイレベル４３、４３’と対応する調整グレイレベル４６、４６’を含む。
【００１３】
映像データを入力後、映像の入力グレイレベルの数量分布を計算し、図２に示すような色彩階調ヒストグラムを取得し、別々に暗階調比例と明階調比例を計算し、暗階調比例の大きさに基づいて、暗階調ルックアップテーブル４１の比例配列組４４から対応する比例配列を選択し、もし暗階調比例がより高くなれば、暗階調ルックアップテーブル４１の比例配列組４４の中からより強い比例配列を選択し、符合４５に示すように、暗階調比例と暗階調ルックアップテーブル４１の比例配列の対応方法は、暗階調比例を暗階調転換関数に代入して暗階調LUT強度を取得する方法であり、即ち暗階調LUT強度＝F１（暗階調比例）となり、暗階調転換関数は逓増関数であり、即ち暗階調比例が高くなればなるほど、暗階調LUT強度が大きくなり、この暗階調LUT強度を比例配列組４４内の比較的強い比例配列に対応させ、前記比例配列の調整グレイレベル４６が入力グレイレベルに取って代わり、同様の理論で、
明階調比例の大きさに基づいて、明階調ルックアップテーブル４２の比例配列組４４’から対応する比例配列を選択し、もし明階調比例がより高くなれば、明階調ルックアップテーブル４２の比例配列組４４’の中からより強い比例配列を選択し、符合４５’に示すように、明階調比例と明階調ルックアップテーブル４２の比例配列の対応方法は、明階調比例を明階調転換関数に代入して明階調LUT強度を取得する方法であり、即ち明階調LUT強度＝F２（明階調比例）となり、明階調転換関数は逓増関数であり、即ち明階調比例が高くなればなるほど、明階調LUT強度が大きくなり、この明階調LUT強度を比例配列組４４’内の比較的強い比例配列に対応させ、前記比例配列の調整グレイレベル４６’が入力グレイレベルに取って代わり、最後に調整後のグレイレベルを出力し、信号強度を調整して映像品質を改善する。
【００１４】
映像画面の暗階調比例が暗階調ルックアップテーブル４１の比例配列４７と明階調ルックアップテーブルの比例配列４７’と対応した場合、各調整グレイレベル間のグレイレベルは内挿演算によって取得することができ、グレイレベルの入力と出力は図５に示すものであり、調整後の暗階調区および明階調区の入力出力曲線はそれぞれ符合５１，５２に示すものであり、暗階調区の入出力曲線５１は傾斜度１の曲線５３よりも大きくなり、前記直線５３は入力グレイレベルと出力グレイレベルが等しいことを表し、明階調区の入出力曲線５２は傾斜率１の直線５３よりも小さくなり、曲線５１，５２の臨界点５４，５５は直線５６によって接続され、曲線５１，５２および直線５６は新しい映像の信号調整の入力と出力の関係を構成し、暗階調ルックアップテーブルにP組の暗階調比例配列を設け、明階調ルックアップテーブルにQ組の明階調比例配列を設けた場合、配列後P×Q組の比例配列の組み合わせ方式を得ることができ、即ちP×Q本の調整用の入出力曲線があり、そのために選択が非常に多くなり、且つ応用に融通性を持たせることができる。その他、ルックアップテーブルの階数はディスプレイの解析度の要求に基づいて設定することができ、入力グレイレベルが１０ビットの場合、比例配列中を１２ビットの表示値と設定することにより出力グレイレベルは１２ビットとなり、ルックアップテーブルの階数を変更するだけで異なるディスプレイに応用することができ、極めて高い産業利用性を具有する。
【００１５】
図６に示すように、本発明において上述の方法を実行する装置は、
色彩階調ヒストグラム分析ユニット６１と、ルックアップテーブル保存ユニット６２と、色彩階調演算ユニット６３とによって構成されており、
前記色彩階調ヒストグラム分析ユニット６１は、映像信号を受信するために用いられており、さらにそれぞれの入力グレイレベルの分布数を数え、色彩階調の分布状態を取得し、
前記ルックアップテーブル保存ユニット６２は、ルックアップテーブルを保存するために用いられており、
前記色彩階調演算ユニット６３は、色彩階調比率を計算するために用いられており、さらに転換関数を代入してLUT強度に転換し、ルックアップテーブル内の比例配列に対応させ、この比例配列内の調整グレイレベルが入力グレイレベルに取って代わり、さらにこれを出力し、
入力信号源の強度を調整することによって比較的優れた映像品質を得る。
【００１６】
本考案の優れている点として、
１  公知構造の液晶ディスプレイにおける輝度不足とコントラスト不足を改善し、映像が強化された後、明らかにコントラストがはっきりし、色彩が豊かになった。
２  本発明の方法は、単一のパネル特性への応用だけに制限されず、異なるパネルにおいても計測によってガンマ曲線の特性を取得し、ルックアップテーブルを作成することができ、このルックアップテーブルに基づいて調整される映像は、色彩のコントラストさらに表現することができる。
３  ルックアップテーブルの特性を利用し、グレイレベルを対応させるにしても、内挿させるにしても、演算は簡単で高速であり、映像データを補正する時間を大幅に短縮することができ、映像は迅速に補正され目標の輝度を表示することができる。
４  ルックアップテーブル内の比例配列数は必要に応じてその数量を設定することができ、組数が多ければ多いほど調整に選択できる調整グレイレベルが多くなり、選択が多様化し、応用に融通性を持たせることができる。
５  ルックアップテーブルの階数はディスプレイの解析度の要求に基づいて設定することができ、各種の異なるガンマレベル階数のディスプレイに適用させることができ、応用範囲は広い。
【産業上の利用可能性】
【００１７】
上述の内容より、本発明は確実に目的を達成できるものであり、全く新しい液晶ディスプレイの輝度の補正方法およびその方法を提供するものであり、極めて高い産業利用の価値を具有する。
【図面の簡単な説明】
【００１８】
【図１】公知技術のガンマ曲線によって調整する方法であり、ガンマ電圧を高めることによって映像を強化する様子を示す図である。
【図２】映像の色彩階調ヒストグラムを示す図である。
【図３】本発明の実施例における液晶ディスプレイの輝度の補正方法およびその装置の元々のガンマ曲線と目標ガンマ曲線を示す図である。
【図４】本発明の実施例における液晶ディスプレイの輝度の補正方法およびその装置のルックアップテーブルを示す図である。
【図５】本発明の実施例における液晶ディスプレイの輝度の補正方法およびその装置のグレイレベルの入力と出力を示す図である。
【図６】本発明の実施例における液晶ディスプレイの輝度の補正方法およびその装置の映像処理の流れ図である。
【符号の説明】
【００１９】
１０    元々のガンマ曲線
１１    目標ガンマ曲線
１２    初期グレイレベルX1
１３    輝度Y1
１４    調整グレイレベルX2
２１    暗階調区
２２    明階調区
２３    暗階調区内グレイスケール数量
２４    明階調区内グレイスケール数量
４１    暗階調ルックアップテーブル
４２    明階調ルックアップテーブル
４３    初期グレイレベル
４３’  初期グレイレベル
４４    比例配列組
４４’  比例配列組
４５    比例配列組の強弱方向
４５’  比例配列組の強弱方向
４６    調整グレイレベル
４６’  調整グレイレベル
４７    暗階調ルックアップテーブル内の比例配列組
４７’  明階調ルックアップテーブル内の比例配列組
５１    暗階調区入出力曲線
５２    明階調区入出力曲線
５３    傾斜度１の直線（入力グレイレベルと出力グレイレベルが等しい）
５４    臨界点
５５    臨界点
５６    直線
６１    色彩階調ヒストグラム分析ユニット
６２    ルックアップテーブル保存ユニット
６３    色彩階調演算ユニット
【図１】
2005266452.tif 000003
【図２】
2005266452.tif 000004
【図３】
2005266452.tif 000005
【図４】
2005266452.tif 000006
【図５】
2005266452.tif 000007
【図６】
2005266452.tif 000008